(57)【要約】      （修正有）【課題】無線ネットワーク又は有線ネットワークを経由して照明器具の開閉及び明度などを制御することができる照明器具制御機能を有するルータ装置を提供する。【解決手段】ルータ装置１０２は、調光制御信号を照明器具１００に送信し、及び、照明器具１００から調光フィードバック信号を受信するための受送信インターフェースユニットと、受送信インターフェースユニットにカップリングされ、所定の設定情報に基づいて調光制御信号を生成し、及び、調光フィードバック信号を処理して照明器具１００の状態情報を得るための制御ユニットと、制御ユニットにカップリングされ、所定の設定情報及び照明器具１００の状態情報を記憶するための記憶ユニットと、を含む。【選択図】図１
0003191650.tif 000002
【実用新案登録請求の範囲】
【請求項１】
照明器具を制御するためのルータ装置であって、
調光制御信号を前記照明器具に送信し、及び、前記照明器具から調光フィードバック信号を受信するための受送信インターフェースユニットと、
前記受送信インターフェースユニットにカップリングされ、所定の設定情報に基づいて前記調光制御信号を生成し、及び、前記調光フィードバック信号を処理して前記照明器具の状態情報を得るための制御ユニットと、
前記制御ユニットにカップリングされ、前記所定の設定情報及び前記照明器具の前記状態情報を記憶するための記憶ユニットと、
を含む、ルータ装置。
【請求項２】
前記受送信インターフェースユニットは、前記調光制御信号を送信し、及び、前記調光フィードバック信号を受信するための無線受送信インターフェースユニットを含む、請求項１に記載のルータ装置。
【請求項３】
前記無線受送信インターフェースユニットは、無線ＬＡＮ（ローカルエリア・ネットワーク）接続技術を使用して前記照明器具に接続される、請求項２に記載のルータ装置。
【請求項４】
前記受送信インターフェースユニットは、前記調光制御信号を送信し、及び、前記調光フィードバック信号を受信するための有線受送信インターフェースユニットを含む、請求項１に記載のルータ装置。
【請求項５】
前記有線受送信インターフェースユニット、有線ＬＡＮ（ローカルエリア・ネットワーク）接続技術を使用して前記照明器具に接続される、請求項４に記載のルータ装置。
【請求項６】
前記記憶ユニットは、ホームページ式操作インターフェースを含み、前記ホームページ式操作インターフェースは、遠隔制御装置により遠隔操作される、請求項１に記載のルータ装置。
【請求項７】
前記遠隔制御装置は、インターネットを経由して前記受送信インターフェースユニットに接続され、前記ホームページ式操作インターフェースにより前記照明器具の前記状態情報を取得し、及び、前記ホームページ式操作インターフェースを制御することにより前記所定の設定情報を生成する、請求項６に記載のルータ装置。
【請求項８】
前記制御ユニットは、ＳＮＭＰ（Ｓｉｍｐｌｅ  Ｎｅｔｗｏｒｋ  Ｍａｎａｇｅｍｅｎｔ  Ｐｒｏｔｏｃａｌ）を使用して前記照明器具を管理する、請求項１に記載のルータ装置。
【考案の詳細な説明】
【技術分野】
【０００１】
本考案は、照明器具を制御するためのルータ装置に関し、特に、無線ネットワーク又は有線ネットワークを経由して照明器具の開閉及び明度などを制御することができるルータ装置に関する。
【背景技術】
【０００２】
近年、気候変遷が人類に与える影響は益々加速している。気候変遷を引き起こす主な要因の一つは、人類が電力エネルギーを過度に使用することである。よって、多くの国では、エネルギー節約及びＣＯ２削減を施政の主な政策の一つとしている。全ての電力エネルギーの応用では、照明が消耗する電量が大部分を占める。よって、照明が使用する電量を下げることができれば、かなり多くの電量を節約し、熱エネルギー及びＣＯ２の排出を減少することができる。
【０００３】
照明システムを制御することによってエネルギー節約を達成するよくある方法は、主に二種類に分けられる。一つは、センサ例えば光センサ又は生体センサ（赤外線センサや超音波センサなど）によるものである。光センサは、日光の強度をセンシングすることができ、これにより、システムは、照明器具の明滅を切り替えることができるが、このようなものは、家の外や窓辺などのような、太陽光照射を受けることができる領域にしか適用できない。また、生体センサは、人体の熱エネルギー又は移動をセンシングすることができ、これにより、照明器具の明滅を切り替えることができる。しかし、この類のセンサの検出可能な距離が限られるので、検出可能な距離を越えると、システムは、使用者の動向を検出できず、これにより、ニーズを満たすためにセンサを増設する必要があり、システムコストの増加を来すことがある。また、システム拡充時に、センサ及びそれに対応する回路を増設することにより、余計な費用を増やすと同時に、時間や力も費やす。
【０００４】
もう一つは、コンピュータソフトウェア又は中央監視システムにより、特定の領域内の照明器具の開閉（オン・オフ）状態を設定し、或いは、特定の領域内の照明器具の明度などを変更することによるものである。しかし、この方法は、一つ又は複数のコンピュータを設置して管理を行うことを要するので、大幅なコスト増をもたらす。
【０００５】
したがって、如何に調光システムを設計して設置コストを下げることができ、照明器具の明度又は開閉状態を随時に設定でき、或いは、いつ照明器具をオン又はオフにするかを設定できるかは、当業者の努力目標の一つになっている。
【考案の概要】
【考案が解決しようとする課題】
【０００６】
本考案は、上述の問題に鑑み、照明器具を制御することができるルータ装置を提供することを目的とする。このルータ装置に随時に接続可能な遠隔制御装置は、照明器具の明度又は開閉状態を制御し、或いは、いつ照明器具をオン又はオフにするかを設定することにより、調光システムの管理の利便性を向上し、調光システムの設置コストを下げることができる。
【課題を解決するための手段】
【０００７】
上述の目的を達成するために、本考案の実施例によれば、照明器具を制御するためのルータ装置が提供される。このルータ装置は、調光制御信号を該照明器具に送信し、及び、該照明器具から調光フィードバック信号を受信するための受送信インターフェースユニットと、該受送信インターフェースユニットにカップリングされ、所定の設定情報に基づいて該調光制御信号を生成し、及び、該調光フィードバック信号を処理して該照明器具の状態情報を得るための制御ユニットと、該制御ユニットにカップリングされ、該所定の設定情報及び該照明器具の状態情報を記憶するための記憶ユニットとを含む。
【図面の簡単な説明】
【０００８】
【図１】本考案の実施例による調光システムを示す図である。
【図２】本考案の実施例によるルータ装置を示す図である。
【考案を実施するための形態】
【０００９】
以下、添付した図面を参照しながら、本考案の好適な実施例を詳細に説明する。
【００１０】
図１を参照する。図１は、本考案の実施例による調光システム１０を示す図である。調光システム１０は、一つ又は複数の照明器具１００（図１では、便宜のために、一つだけの照明器具１００を示している。）、ルータ装置１０２、及び遠隔制御装置１０４を含む。ルータ装置１０２は、よくあるルータ装置の機能（無線又は有線）を有し、且つ照明器具を制御する機能を含む。ルータ装置１０２は、例えばＬＡＮ（ローカルエリア・ネットワーク）を経由して照明器具１００と接続し、且つ例えばインターネットプロトコール（Ｉｎｔｅｒｎｅｔ  Ｐｒｏｔｏｃｏｌ：ＩＰ）を使用して照明器具１００と通信を行う。また、ルータ装置１０２は、新しい照明器具の加入の有無を定時に探し求めることや照明器具の増減を定時に判断することができる。ＬＡＮに用いる技術は、ＩＥＥＥ８０２．１１、Ｚｉｇｂｅｅ（登録商標）、又はＢｌｕｅｔｏｏｔｈ（登録商標）などの技術を含んでもよいが、これらに限定されない。ルータ装置１０２は、調光制御信号を照明器具１００に送信することにより、照明器具１００の明度及び開閉状態を制御することができる。また、ルータ装置１０２は、いつ照明器具１００をオン又はオフにするかを設定することもできる。照明器具１００は、無線受送信モジュール（図示せず）を含み、この無線受送信モジュールは、ルータ装置１０２からの調光制御信号を受信するために用いられ、これにより、照明器具１００は、受信した調光制御信号に基づいて、その明度又は開閉状態を調整することができる。
【００１１】
また、遠隔制御装置１０４は、例えば遠隔接続の方式でルータ装置１０２に接続することができ、また、ルータ装置１０２を設定及び制御することにより、ルータ装置１０２に、照明器具１００の明度又は開閉状態、或いは、いつ照明器具１００をオン又はオフにするかを制御するための調光制御信号を送信させる。遠隔制御装置１０４及びルータ装置１０２が同じネットワークエリアに在れば、遠隔制御装置１０４は、ＬＡＮを経由してルータ装置１０２と接続することができる。同様に、遠隔制御装置１０４がＬＡＮを経由してルータ装置１０２と接続する時に用いるＬＡＮ技術は、ＩＥＥＥ８０２．１１、Ｚｉｇｂｅｅ、又はＢｌｕｅｔｏｏｔｈなどの技術を含んでもよいが、これらに限定されない。
【００１２】
遠隔制御装置１０４及びルータ装置１０２が異なるネットワークエリアに在れば、遠隔制御装置１０４は、インターネットを経由してルータ装置１０２と接続することができる。遠隔制御装置１０４又はルータ装置１０２がインターネットに接続する時に用いる方式は、ＧＰＲＳ（Ｇｅｎｅｒａｌ  Ｐａｃｋｅｔ  Ｒａｄｉｏ  Ｓｅｒｖｉｃｅ）方式、Ｅｔｈｅｒｎｅｔ（登録商標）方式、ＤＳＬ（Ｄｉｇｉｔａｌ  Ｓｕｂｓｃｒｉｂｅ  Ｌｉｎｅ）方式、又は光ファイバー方式などを含んでもよいが、これらに限定されない。
【００１３】
ルータ装置１０２は、例えばＳＮＭＰ（Ｓｉｍｐｌｅ  Ｎｅｔｗｏｒｋ  Ｍａｎａｇｅｍｅｎｔ  Ｐｒｏｔｏｃａｌ）を使用して照明器具１００の状態を管理し、照明器具１００の明度又は開閉状態を制御し、或いは、いつ照明器具１００をオン又はオフにするかを設定することができる。特に、ルータ装置１０２は、ＳＮＭＰを使用して、ルータ装置１０２から照明器具１００へ送信するパッケージ情報を暗号化することにより、データの安全性及び完全性を保つことができる。
【００１４】
ルータ装置１０２は、遠隔制御装置１０４がログインするためのインターフェースを提供することができる。本実施例では、ルータ装置１０２は、ホームページ式操作インターフェースを遠隔制御装置１０４のログイン用に提供し、これにより、遠隔制御装置１０４は、このホームページ式操作インターフェースを介して、照明器具１００の明度及び開閉状態、或いは、いつ照明器具１００をオン又はオフにするかを設定することができる。遠隔制御装置１０４は、デスクトップパソコン、ノットパソコン、又はスマートフォンなどのような、ホームページ閲覧プログラムを含む装置であってもよく、これにより、ルータ装置１０２が提供したホームページ式操作インターフェースをアクセス及び操作することができる。
【００１５】
図２を参照する。図２は、図１におけるルータ装置１０２を示す図である。ルータ装置１０２は、受送信インターフェースユニット２０２、制御ユニット２０４、及び記憶ユニット２０６を含む。受送信インターフェースユニット２０２は、照明器具１００及び遠隔制御装置１０４と接続するために用いられ、その接続方式は、有線又は無線方式であってもよい。制御ユニット２０４は、受送信インターフェースユニット２０２にカップリングされ、照明器具１００に対しての設定情報（例えば、照明器具１００の明度又は開閉状態、或いは、いつ照明器具１００をオン又はオフにするかの設定）に基づいて調光制御信号を生成し、受送信インターフェースユニット２０２を経由して照明器具１００に送信することができ、そして、照明器具１００は、受信した調光制御信号に基づいて、その状態を調整する。記憶ユニット２０６は、制御ユニット２０４にカップリングされ、設定情報及び照明器具１００の明度又は開閉状態情報を記憶するために用いられる。
【００１６】
例えば、制御ユニット２０４は、朝７時に照明器具１００をオンにし、夜１０時に照明器具１００をオフにするよう設定することができ、またこのような設定情報を記憶ユニット２０６に記憶させることができる。設定後、制御ユニット２０４は、朝７時に設定情報に基づいて照明器具１００に電源をオンにさせるよう指示するための調光制御情報を送信し、また、夜１０時に設定情報に基づいて照明器具１００に電源をオフにさせるよう指示するためのもう一つの調光制御情報を送信することができる。制御ユニット２０４が送信する、照明器具１００に電源をオンにさせるよう指示するための調光制御情報は、更に、照明器具１００の明度を設定するための情報を含んでもよく、これにより、照明器具１００は、調光制御信号に基づいて電源をオンにすると同時に、その明度を調整することもできる。
【００１７】
また、照明器具１００は、その明度又は開閉状態に基づいて、調光フィードバック信号を生成し、無線受送信モジュール（図示せず）を経由してルータ装置１０２に送信することができる。制御ユニット２０４は、この調光フィードバック信号を処理して、照明器具１００の明度又は開閉状態情報を取得し、照明器具１００の明度又は開閉状態情報を記憶ユニットに記憶させることができる。
【００１８】
また、照明器具１００はＳＮＭＰをサポートするのであれば、制御ユニット２０４は、設定情報をパッケージングしてパッケージ情報にし、また、ＳＮＭＰを使用してこのパッケージ情報を暗号化してから、ＬＡＮを経由して照明器具１００に送信することにより、設定データの安全性及び完全性を保つことができる。さらに、制御ユニット２０４は、照明器具１００からのパッケージ情報を調光フィードバック信号に解読することにより、照明器具１００の明度又は開閉状態情報を取得することができる。
【００１９】
本考案の実施例では、記憶ユニット２０６は、ホームページ式操作インターフェースを含み、これにより、遠隔制御装置１０４はインターネットを経由してログインすることができ、また、照明器具１００の明度及び開閉情報、並びに照明器具１００の明度及び開閉設定機能を提供することができる。
【００２０】
また、記憶ユニット２０６は、照明器具１００の複数組の設定情報を記憶することができる。使用者は、そのニーズに従って、複数組の設定情報を設定し、また、主に使用する設定情報を選択することができる。照明器具１００の操作方式を変えようとする時に、他の一組の設定情報を選択することができ、言い換えると、前の設定情報を削除する必要がない。
【００２１】
以上述べたところを総合すれば、本考案の実施例によるルータ装置は、よくあるルータ装置の機能を組み合わせ、また調光制御メカニズムを増加することにより、遠隔制御装置がルータ装置に随時に接続し、照明器具の明度又は開閉状態、或いは、いつオン又はオフにするかを設定することができる。よって、本考案の実施例によるルータ装置は、調光システムの管理の利便性を向上し、また調光システムの設置コストを下げることができる。
【００２２】
以上、本考案の好ましい実施形態を説明したが、本考案はこの実施形態に限定されず、本考案の趣旨を離脱しない限り、本考案に対するあらゆる変更は本考案の範囲に属する。
【符号の説明】
【００２３】
１０    調光システム
１００  照明器具
１０２  ルータ装置
１０４  遠隔制御装置
２０２  受送信インターフェースユニット
２０４  制御ユニット
２０６  記憶ユニット
【図１】
0003191650.tif 000003
【図２】
0003191650.tif 000004